(57)【要約】【課題】  ケーブルブラケットと盤底部の取込口との奥行きのズレを防止し、ケーブルつなぎ込みの作業性向上とケーブル端末処理の品質を確保できる装置を提供する。  【解決手段】  コントロールセンタの取込口から取込まれたケーブル１を外部端子取付ベース４に導く途中で、ケーブル１を固定するケーブルブラケット２と、ケーブルブラケット２を取付けるブラケット取付金具３とを備えたコントロールセンタのケーブルブラケット取付装置において、ケーブルブラケット２を外部端子取付ベース４に対して傾斜させる取付手段を設けたものである。【選択図】    図１
2005269790.tif 000002
【特許請求の範囲】
【請求項１】
コントロールセンタの取込口から取込まれたケーブルを外部端子取付ベースに導く途中で、前記ケーブルを固定するケーブルブラケットと、前記ケーブルブラケットを取付けるブラケット取付金具とを備えたコントロールセンタのケーブルブラケット取付装置において、
前記ケーブルブラケットを前記外部端子取付ベースに対して傾斜させる取付手段を設けたことを特徴とするコントロールセンタのケーブルブラケット取付装置。
【請求項２】
前記取付手段は、前記ブラケット取付金具を前記外部端子取付ベースの垂直方向に対して後方に傾斜角度を設けたことを特徴とする請求項１記載のコントロールセンタのケーブルブラケット取付装置。
【請求項３】
前記取付手段は、前記ブラケット取付金具を取付ける盤側取付板と、これを側板に固定するブラケット取付支えとからなることを特徴とする請求項１記載のコントロールセンタのケーブルブラケット取付装置。
【請求項４】
前記ブラケット取付支えの側板取付穴を長穴としたことを特徴とする請求項３記載のコントロールセンタのケーブルブラケット取付装置。
【発明の詳細な説明】
【技術分野】
【０００１】
本発明は、コントロールセンタにおけるケーブルを固定するケーブルブラケット取付装置に関する。  
【背景技術】
【０００２】
図４は、従来のケーブルブラケット取付装置を示す図で、(a)は斜視図、(b)は側面図である。
図において、１はケーブル、２はケーブルブラケット、３はブラケット取付金具、３a、３bは取付穴、４は外部端子取付ベース、５は外部端子、６はふさぎ板、７は底板である。
ブラケット取付金具３は、上部ベース取付部、下部ブラケット取付部からなり、ベース取付部は外部端子５の取付スペースを確保するために前面左側部分を切り欠いている。また、ブラケット取付部はケーブル取込口とケーブル固定位置が奥行き方向でズレるため、ベース取付部と平行に奥行き方向に伸ばしている。２分割のふさぎ板６はケーブル１布設後ふさぐものである。
つぎに動作について説明する。
ブラケット取付金具３の外部端子取付ベース４への取付穴３bにボルト等を挿入し外部端子取付ベース４にブラケット取付金具３を固定する。つぎに、ブラケット取付金具３のケーブルブラケット２への取付穴３aにボルト等を挿入しケーブルブラケット２を取付ける。
また、ケーブルブラケット取込金具のブラケット取付部に、その前後側それぞれから取付けられるケーブルブラケットを固定する取付穴を設けた構造のものもある（例えば、特許文献１参照）。
【特許文献１】実開平５−２５２９号公報
【発明の開示】
【発明が解決しようとする課題】
【０００３】
しかしながら、従来のケーブルブラケットは、外部端子取付ベースに取付られたブラケット取付金具でケーブルを垂直に保持する姿勢で取付られていた。
また、ブラケット取付金具の取付け位置が固定され、ケーブル引込時、盤底部の開口部とケーブルブラケットの固定部とが奥行き方向でズレるため、ケーブルを曲げる必要が生じ、その分の所用寸法を確保するためにケーブル処理スペースを大きく取らなければならないという問題があった。
また、ケーブルが垂直に対し、屈曲して立ち上がって来た場合、ケーブルブラケットに、ケーブルを不均一に固定することとなり、局部的に荷重が加わりケーブルシース、ケーブル絶縁体の劣化の原因となりうる可能性があった。
そこで、本発明はこのような問題点に鑑みてなされたものであり、ケーブルブラケットと盤底部の取込口との奥行きのズレを防止し、ケーブルつなぎ込みの作業性向上とケーブル端末処理の品質を確保することができる装置を提供することを目的とする。
【課題を解決するための手段】
【０００４】
上記問題を解決するため、本発明は、次のように構成したものである。
請求項１に記載の発明は、コントロールセンタの取込口から取込まれたケーブルを外部端子取付ベースに導く途中で、前記ケーブルを固定するケーブルブラケットと、前記ケーブルブラケットを取付けるブラケット取付金具とを備えたコントロールセンタのケーブルブラケット取付装置において、
前記ケーブルブラケットを前記外部端子取付ベースに対して傾斜させる取付手段を設けたものである。
また、請求項２に記載の発明は、前記取付手段は、前記ブラケット取付金具を前記外部端子取付ベースの垂直方向に対して後方に傾斜角度を設けたものである。
また、請求項３に記載の発明は、前記取付手段は、前記ブラケット取付金具を取付ける盤側取付板と、これを側板に固定するブラケット取付支えとからなるものである。
また、請求項４に記載の発明は、前記ブラケット取付支えの側板取付穴を長穴としたものである。
【発明の効果】
【０００５】
請求項１に記載の発明によれば、取込口から外部端子取付ベース間にケーブルを、傾斜させる手段を設けたので、ケーブルブラケットと盤底部の取込口との奥行きのズレを防止することができる。
請求項２に記載の発明によれば、取付手段はブラケット取付金具を外部端子取付ベースの垂直方向に対して後方に傾斜角度を設けたので、ケーブルブラケットと盤底部の取込口との奥行きのズレを防止することができる。
請求項３に記載の発明によれば、ブラケット取付金具を取付ける盤側取付板の側板に固定するブラケット取付支えを傾斜させたので、ケーブルブラケットと盤底部の取込口との奥行きのズレを防止することができる。
請求項４に記載の発明によれば、ブラケット取付支えの側板取付穴を長穴としたので、角度調整ができ、ケーブルの種類に関係なくケーブルブラケットと盤底部の取込口との奥行きのズレを防止することができる。
また、ケーブル引込の作業性が改善され、ケーブル端末処理の品質を向上することができる。
【発明を実施するための最良の形態】
【０００６】
以下、本発明の実施の形態を図に基づいて説明する。
【実施例１】
【０００７】
図１は、本発明のケーブルブラケット取付装置を示す図で、(a)は斜視図、(b)は側面図である。
ブラケット取付金具３は、上部ベース取付部、下部ブラケット取付部からなり、ベース取付部は外部端子５の取付スペースを確保するために前面左側部分を切り欠いている。また、ブラケット取付部は外部端子取付ベース４の垂直方向に対して後方に２０°から４５°傾斜させ、ケーブルブラケット２をケーブル１取込口方向に向かせている。
つぎに動作について説明する。
ブラケット取付金具３の外部端子取付ベース４への取付穴３bにボルト等を挿入し外部端子取付ベース４にブラケット取付金具３を固定する。つぎに、ブラケット取付金具３のケーブルブラケット２への取付穴３aにボルト等を挿入しケーブルブラケット２を取付ける。
ブラケット取付金具３のブラケット取付部を外部端子取付ベース４の垂直方向に対して後方に傾斜させたので、ケーブルブラケット２と盤底部の取込口との奥行きのズレを防止することができる。
また、ケーブル引込の作業性が改善され、ケーブル端末処理の品質を向上することができる。
【実施例２】
【０００８】
図２は、本発明の第２実施例を示すケーブルブラケット取付装置の斜視図である。
図において、８は、盤側取付板、８aは、取付穴、９は、ブラケット取付支え、９aは取付穴、１０は、側板である。
盤側取付板８は、ブラケット取付金具３およびブラケット取付支え９を左右に取付けるものである。ブラケット取付支え９は、盤側取付板８の左右に取付けたあと、側版１０に取付ける。
つぎに動作について説明する。
盤側取付板８の左右両端にブラケット取付支え９を盤側取付板８の取付穴８aにボルト等を挿入し盤側取付板８にブラケット取付支え９を固定する。つぎに、盤側取付板８の左右両端にブラケット取付支え９を取付けた状態でブラケット取付支え９の取付穴９aにボルト等を挿入し左右の側板１０の垂直方向に対して盤取付板８の上端を手前におよそ３０°傾斜させて固定する。つぎに、ブラケット取付金具３の盤側取付板８への取付穴３bにボルト等を挿入し盤側取付板８にブラケット取付金具３を固定する。つぎに、ブラケット取付金具３のケーブルブラケット２への取付穴３aにボルト等を挿入しケーブルブラケット２を取付ける。ブラケット取付金具３はブラケット取付支え９を盤側取付板８へ取付け側盤１０に固定してから取付けることにしているが、側盤１０に固定する前に盤側取付板８に取付けても差支えない。
ブラケット取付支え９を側板１０の垂直方向に対して盤取付板８の上端を手前に傾斜させて取付けているので、ケーブルブラケット２と盤底部の取込口との奥行きのズレを防止することができる。また、ケーブル引込の作業性が改善され、ケーブル端末処理の品質を向上することができる。
【実施例３】
【０００９】
図３は、本発明の第３実施例を示すケーブルブラケット取付装置の図で、(a)は斜視図(b)は側面図である。
図において、９bは、取付穴（長穴）、９cは、支点取付穴である。
ブラケット取付支え９の取付穴９bを長穴とし、支点取付穴９cを支点として、ブラケット取付支え９を側板１０の垂直方向に対して盤取付板８の上端を手前に０°から４５°角度調整できる。
ブラケット取付支え９の取付穴９bを長穴としたので、ケーブル１の種類に関係なくケーブルブラケット２と盤底部の取込口との奥行きのズレを防止することができる。
また、ケーブル引込の作業性が改善され、ケーブル端末処理の品質を向上することができる。  
【図面の簡単な説明】
【００１０】
【図１】本発明のケーブルブラケット取付装置を示す図で、(a)は斜視図、(b)は側面図
【図２】本発明の第２実施例を示すケーブルブラケット取付装置の斜視図
【図３】本発明の第３実施例を示すケーブルブラケット取付装置を示す図で、(a)は斜視図、(b)は側面図
【図４】従来のケーブルブラケット取付装置を示す図で、(a)は斜視図、(b)は側面図
【符号の説明】
【００１１】
１ ケーブル
２ ケーブルブラケット
３ ブラケット取付金具
３a 取付穴
３b 取付穴
４ 外部端子取付ベース
５ 外部端子
６ ふさぎ板
７ 底板
８ 盤側取付板
８a取付穴
９ ブラケット取付支え
９a 取付穴
９b 取付穴（長穴）
９c 支点取付穴
１０ 側板
【図１】
2005269790.tif 000003
【図２】
2005269790.tif 000004
【図３】
2005269790.tif 000005
【図４】
2005269790.tif 000006